(57)【要約】【課題】消費者の利便性が高く、且つ運搬時等の衝撃にも耐えうる情報記録カートリッジの誤消去防止爪を提供する。【解決手段】情報記録再生媒体を内蔵し、前期情報記録再生媒体に記録された情報の書き込みまたは消去の可否を表す誤消去防止部が備えられている情報記録再生カートリッジにおいて、誤消去防止部がカートリッジ側面に形成された凹部内に設けられて、本体と一体成形された爪状の誤消去防止爪であって、誤消去防止爪の横断面形状が、中央部の厚さと端部の厚さが異なっている情報記録再生用カートリッジを提供する。【選択図】図１
2008071430.tif 000002
【特許請求の範囲】
【請求項１】
情報記録再生媒体を内蔵し、前期情報記録再生媒体に記録された情報の書き込みまたは消去の可否を表す誤消去防止部が備えられている情報記録再生カートリッジにおいて、
誤消去防止部がカートリッジ側面に形成された凹部内に設けられて、本体と一体成形された爪状の誤消去防止爪であって、
誤消去防止爪の横断面形状が、中央部の厚さと端部の厚さが異なっていることを特徴とする情報記録再生用カートリッジ。
【請求項２】
誤消去防止爪の横断面形状が、中央部の厚さよりも端部の厚さが大きいことを特徴とする請求項１に記載の情報記録再生用カートリッジ。
【請求項３】
誤消去防止爪が、カートリッジ本体と対向している面が曲面であることを特徴とする請求項1または２記載の情報記録再生用カートリッジ。
【発明の詳細な説明】
【技術分野】
【０００１】
情報記録再生媒体のカートリッジにおける誤消去防止部に関する。
【背景技術】
【０００２】
通常情報記録再生媒体のカートリッジには記録した情報の誤消去や上書きを防ぐための誤消去防止部が備えられている。例えばビデオテープレコーダ用のテープカートリッジに、図３のように側面に誤消去防止爪が一体成形されている。この爪を押す又は引くなどして折り、カートリッジから除去することで、記録／再生装置側でこれを検出して、磁気テープへの書込動作を禁止しテープの記録信号が不測に上書きされないようにしている。
【発明の開示】
【発明が解決しようとする課題】
【０００３】
この誤消去防止爪は、使用する消費者が自らの指または道具を用いて爪を奥に押し込むまたは手前に引く等した場合、適度な力で折りやすいように設計されている。例えば特開２０００−２６０１５９号では、折れ曲った切り残し部分を生じ、切取った爪片や切り残し部がカセット本体内に詰るのを防いだり、誤消去防止爪を取り除いた後の外観が損なわれるのを防ぐために、誤消去防止爪の根本部に除去ラインに沿って予めスリットを形成する技術が開示されている。また、実開平２−５５４６８号では誤って誤消去防止爪を折ってしまった際、予備となるスペア爪を予め備えてある。
【０００４】
しかし、消費者の利便性を優先させて誤消去防止爪をある程度折れやすい強度に設定すると、運搬時等にカートリッジに与えられる衝撃によって誤消去防止爪が奥に押し込まれて折れてしまい、製品として販売できない状態になる問題があった。また、スペアの誤消去防止爪が備えてあっても、運搬時に製品としての品質を損なう問題は解決されない。
【０００５】
【特許文献１】特開２０００−２６０１５９号
【特許文献２】実開平２−５５４６８号
【課題を解決するための手段】
【０００６】
ここで、運搬時に起こる誤消去防止爪の奥方向への爪折れを説明する。図４は図３のＢ―Ｂ断面（縦断面）図であり、図４（a）は平常時、図４（ｂ）は奥方向へのつめ折れが起こったときの図である。消費者に利用しやすいように適度な強度をもった誤消去防止爪は、衝撃６を図の矢印方向に受けた場合、図４（ｂ）のように奥へ折れやすく、運搬時の誤消去防止爪の爪折れの大半は、図４と同じ奥方向への折れである。運搬時の誤消去防止爪の爪折れを防ぐために、爪の厚みを厚くする検討もなされたが、ただ単に爪強度を高めただけでは消費者の利便性が下がり、問題になる。ここに着目した発明者は、鋭意検討した結果、本発明を成すに至った。
【０００７】
すなわち、情報記録媒体を内蔵し、情報記録媒体に記録された情報の書き込みまたは消去の可否を表す誤消去防止部が備えられている情報記録カートリッジにおいて、
誤消去防止部がカートリッジ側面に形成された凹部内に設けられて、本体と一体成形された爪状の誤消去防止爪であって、
誤消去防止爪の横断面形状が、中央部の厚さと端部の厚さが異なっていることを特徴とする情報記録カートリッジを提供する。
【０００８】
また、前記再生誤消去防止爪の横断面形状が、中央部の厚さよりも端部の厚さが大きいことを特徴とする情報記録再生用カートリッジを提供する。
【０００９】
さらに／また、前記誤消去防止爪が、カートリッジ本体と対向している面が曲面であることを特徴とする情報記録再生用カートリッジ提供する。
【００１０】
この場合、横方向とは図３のようにＡ−Ａ方向を指しており、誤消去防止爪が本体ケースから立設する方向と垂直の方向を表している。
【発明の効果】
【００１１】
本発明によれば、運搬時等に図４のようにカートリッジ外方より衝撃を受けても、誤消去防止爪は奥へ（カートリッジ内方側へ）は倒れにくく、且つ消費者によって手前へ（カートリッジ外方側へ）引く時は従来のものと同様の力を加えることで誤消去防止爪を折ることができる。
【発明を実施するための最良の形態】
【００１２】
図３にビデオテープのテープカートリッジの平面図（側面図）を示す。テープカートリッジ本体ケース１は、上ケース１aと下ケース１ｂと蓋あわせ状に接合してあり、一側面に記録内容等を消費者が記すラベル部２を備え、ラベル部２と同じ側面に凹部４と、凹部４の内部に本体ケースと一体成形された誤消去防止爪３を設けている。図３では下ケースに凹部４と誤消去防止爪３が設けてあるが、上ケース1a下ケース1bどちらにあっても構わない。また、テープカートリッジには本体ケース内部に一対の磁気テープを巻装したリールを備えており（不図示）、専用の記録再生装置にて前記磁気テープに記録・再生が成される。
【００１３】
誤消去防止爪３は図４（a）のように凹部４を覆うようにまた消費者が誤消去防止爪３を折りやすいように隙間を空けて本体ケース１から立設し、縦方向には略均一の厚みを保って立設している。尚、立設方向を縦方向、立設方向と垂直の方向を横方向とする。
【００１４】
図１、図２は図３のＡ―Ａ断面（横断面）図である。横断面端部５が横断面中央部６よりも厚く形成してあり、外部から衝撃を受けた場合、衝撃応力を分散させることができる。
（実施例１）図１のように誤消去防止爪５の本体ケースと接する面が曲面であれば製造が比較的容易で大量生産に適している。
（実施例２）図２では誤消去防止爪５の本体ケースと接する面が平面凹状になっているが、この実施の形態であっても外部衝撃の衝撃応力を問題なく分散させることができる。
【００１５】
本実施例ではビデオテープカートリッジを例に説明を行ったが、これに限らず、ＭＤカートリッジや音楽カセットテープカートリッジ等爪状の誤消去防止爪を設けている情報記録カートリッジであれば本発明は利用できる。
【図面の簡単な説明】
【００１６】
【図１】誤消去防止爪の図３のＡ−Ａ断面（横断面）図であり、実施例１の実施形態を表す。
【図２】誤消去防止爪の図３のＡ−Ａ断面（横断面）図であり、実施例２の実施形態を表す。
【図３】情報記録カートリッジの実施の一つの形態であるビデオテープカートリッジの側面を表す。
【図４】誤消去防止爪の奥方向へのつめ折れを表す。
【符号の説明】
【００１７】
１    本体ケース
２    ラベル部
３    誤消去防止爪
４    凹部
５    断面端部
６    断面中央部
【図１】
2008071430.tif 000003
【図２】
2008071430.tif 000004
【図３】
2008071430.tif 000005
【図４】
2008071430.tif 000006